(57)【要約】【課題】反復利用性を備え、且つ、使い勝手の良い筒状袋、及び、その使用方法を提供する点にある。【解決手段】シート状の軟質素材からなる筒状体の一端開口１Ａ内に、筒状体１を筒内に折り返して他端開口１Ｂを配置し、これら一端と他端の開口縁同士を、開口の全周に亘って気密状態に接合して、外周面１Ｃと内周面１Ｄが連続面となった筒状袋体Ａ１を形成してあるとともに、この筒状袋体Ａ１に少なくとも空気導入手段Ｂ１と空気抜け止め手段Ｂ２を備えている。【選択図】        図３
2004359320.tif 000002
【特許請求の範囲】
【請求項１】
シート状の軟質素材からなる筒状体の一端開口内に、筒状体を筒内に折り返して他端開口を配置し、これら一端と他端の開口縁同士を、開口の全周に亘って気密状態に接合して、外周面と内周面が連続面となった筒状袋体を形成してあるとともに、この筒状袋体に少なくとも空気導入手段と空気抜け止め手段を備えている筒状袋。
【請求項２】
前記筒状袋体が、対象物品の全体を包装可能な筒外径、及び、筒長さに形成されている請求項１記載の筒状袋。
【請求項３】
前記筒状袋体が、対象物品の一部を包装可能な筒外径、及び、筒長さに形成されている請求項１記載の筒状袋。
【請求項４】
前記筒状袋体が、腕又は脚の止血対応部位に装着可能な筒外径、及び、筒長さに形成されている請求項１記載の筒状袋。
【請求項５】
前記筒状袋体が、腕部分、又は、脚部分に装着可能な筒外径、及び、筒長さに形成されている請求項１記載の筒状袋。
【請求項６】
前記筒状袋体が、容器入り飲料商品の全体を収容可能な筒外径、及び、筒長さに形成されている請求項１記載の筒状袋。
【請求項７】
シート状の軟質素材からなる筒状体の一端開口内に、筒状体を筒内に折り返して他端開口を配置し、これら一端と他端の開口縁同士を、開口の全周に亘って気密状態に接合して、外周面と内周面が連続面となった筒状袋体を形成してあるとともに、この筒状袋体に少なくとも空気導入手段と空気抜け止め手段を備える筒状袋を用い、この筒状袋を空気導入手段と空気抜け止め手段によって膨らませ、膨らませた筒状袋の適宜部分を折り曲げて、筒状袋体の外周面より内周面を伸長して折り曲げ状態が保持された袋状態で使用する筒状袋の使用方法。
【発明の詳細な説明】
【０００１】
【発明の属する技術分野】
本発明は、外周面と内周面が連続面となった筒状袋、及び、その使用方法に関する。
【０００２】
【従来の技術】
一般に、梱包ケースから取り出して販売展示されている商品の場合、購入の際に再び梱包ケースに戻して購入者に渡されることが行なわれている。
この種の商品は、展示状態において、ホコリ、手垢、手油等が商品に付着したり、落下等の不測の事態で商品に傷や破損を生じたりして品質を損なうことがあるため、このようなことを回避するために、近年においては、空気気密された透明な包装用袋体に収納することも行われるようになっている。
この種の包装用袋体ＡＡは、図１４、図１５に示すように、全周縁を熱融着されて密封状態になった扁平方形状の綴じ袋１００を、方形中央部において２つ折りして一端に開口１００Ａを残して周縁を熱融着するとともに、空気弁１１０によって綴じ袋１００内に空気の導入を可能にし、導入された空気を空気弁１１０によって保持し、空気弁１１０を通して綴じ袋内にストロー等を差し入れることによって、綴じ袋内と外気を連通状態にして、袋内空気を抜き去ることができるように構成されている（例えば、特許文献１参照。）。
この包装用袋体ＡＡの使い方としては、空気が導入されていない綴じ袋１００の開口１００Ａから商品Ｃを差し入れた後、例えば、口から空気弁１１０の空気導入口１１０ａから空気を吹き入れて綴じ袋１００を膨らませて、商品Ｃを綴じ袋１００で包みこんで、商品Ｃの表面に綴じ袋１００の生地面１００ａを圧接状態にするとともに、商品回りに空気層１００ｂを形成して、商品Ｃを直接に触れることができないようにして、ホコリ、手垢、手油等の付着を阻止するとともに、空気層１００ｂと言ったクッション層によって商品を保護して、商品の品質を下げる事態を積極的に回避することができるものである。
【０００３】
【特許文献１】
特開平９−８６５６５号公報（第２−３頁、第３図、第８図）
【０００４】
【発明が解決しようとする課題】
ところが、この種の包装用袋体ＡＡは、商品の品質保全に役立つものであるけれども、購買者に商品が渡される際、短時間で包装処理する必要があるため、多くの場合、包装用袋体ＡＡを手で破いて空気を瞬時に抜き取って、袋内から商品Ｃを取り出すようなことが行われている。
そのため、この種の包装用袋体ＡＡは使い捨ての傾向が強く、付帯部品である空気弁１１０や多溶着工程を有してコスト面で割高でありながら、再利用性の低い商品傾向を示すものであり、使用性が悪いものであった。
【０００５】
本発明は、上述の実状に鑑みて為されたものであって、その主たる課題は、反復利用性を備え、且つ、使い勝手の良い筒状袋を提供する点にある。
【０００６】
【課題を解決するための手段】
本発明の請求項１による筒状袋の特徴構成は、シート状の軟質素材からなる筒状体の一端開口内に、筒状体を筒内に折り返して他端開口を配置し、これら一端と他端の開口縁同士を、開口の全周に亘って気密状態に接合して、外周面と内周面が連続面となった筒状袋体を形成してあるとともに、この筒状袋体に少なくとも空気導入手段と空気抜け止め手段を備えている点にある。
【０００７】
上記特徴構成によれば、空気導入手段から筒状袋体内に空気を導入して筒状袋体を適宜に膨らませることによって、外周面と内周面とが連続し内部に筒状の空気層を形成する袋体を形成することができる。
そして、この膨らませた筒状袋体は、両端に形成される筒入口の一方から商品等の物品を挿入するのに伴って、挿入側に対応する入口回りの外周面が内周面に移行する袋面の移動が生じて、物品を筒内部にまで簡単に挿入することができ、その収納位置で物品は、筒内の密閉された空気層によって筒内周面の圧接を受ける保持状態にすることができるとともに、この保持状態から、筒状袋体の一端の入口を押付けるようにして、押付け側の入口回りの外周面が内周面となる袋面の移動を生じさせて、梱包状態の物品を筒状袋の反押付け側の入口から外部に簡単に取り出すことができる。
ここで、対象物が固定されている場合、固定対象物に対して、筒状袋体の一端の入口を押付けるようにして、押付け側の入口回りの外周面が内周面に移行する袋面の移動を生じさせて、挿入対象物を筒内部に挿入することができる。
【０００８】
従って、従来のように、膨らませた袋体を破って空気を逃がして、袋内から物品を取り出さなければならなかった袋商品に比べて、膨らませた状態の筒状袋体に対して、物品の出し入れを簡単に行うことができ、筒状袋を反復して利用することができるので、使い勝手がよい。
また、筒状袋体内の空気層は、挿入された物品によって圧縮状態となって挿入された物品に筒内周面を密着状態に作用するとともに、袋全体にクッション性を形成することができるので、保全性に優れた包装資材として用いることができる。
さらに、筒状袋体内の空気を抜いた未使用状態においては、嵩張らない扁平な筒状袋にすることができるので、取り扱い性がよい。
【０００９】
本発明の請求項２による筒状袋の特徴構成は、前記筒状袋体が、対象物品の全体を包装可能な筒外径、及び、筒長さに形成されている点にある。
【００１０】
上記特徴構成によれば、対象物品を筒状袋体内に全体を収納する梱包が可能となる。しかも、この梱包状態において、対象物品は筒状袋体の内周面によって全表面が圧接される状態になり、筒状袋体内に包装対称物品を密封状態に収納することができる。
【００１１】
従って、このような筒状袋を用いて商品の販売展示、商品運搬、商品保管等に採用することによって、包装対象物品を気密状態に包み込むとともに、商品回りに圧縮空気層と言ったクッションを形成することができるので、包装対象物品にホコリ、手垢等が付着することがなく、例えば、落下等のような事態が生じても、包装対象物品に損傷を与えしまうようなことを積極的に回避することができる。
また、梱包及び梱包解除を簡単に実施することができるので、商品の販売展示、商品運搬、商品保管等における作業性を向上させることができる。
【００１２】
本発明の請求項３による筒状袋の特徴構成は、前記筒状袋体が、対象物品の一部を包装可能な筒外径、及び、筒長さに形成されている点にある。
【００１３】
上記特徴構成によれば、対象物品の一部分に筒状袋を装着することができる。しかも、この装着状態において、対象物品は筒状袋体の内周面によって圧接される状態になり、筒状袋によって包装対称物品を拘束状態に保持することができる。
【００１４】
従って、このような筒状袋を用いて複数の棒状商品の結束具、長尺商品同士の干渉防止具等に採用することによって、在庫管理の向上、運搬性の向上を図ることができる。
【００１５】
本発明の請求項４による筒状袋の特徴構成は、前記筒状袋体が、腕又は脚の止血対応部位に装着可能な筒外径、及び、筒長さに形成されている点にある。
【００１６】
上記特徴構成によれば、常時には、扁平な筒状袋体にあり、止血の必要性が生じた際、口からの吹き込みによる導入、又は、気体ボンベなどの噴出し気体の導入によって筒状袋体を膨らませて、手先、又は指先から筒状袋体を外嵌して、外周面が内周面に移行する袋面の移動によって、腕や脚の止血対応箇所に筒状袋を装着することができる。
或は、腕や脚の止血対応箇所に予めに外嵌状態に嵌め込んだ扁平状態の筒状袋に対して、口からの吹き込みによる導入、又は、気体ボンベなどの噴出し気体の導入によって筒状袋を膨らませて、止血対応箇所に膨らませた筒状袋を装着することができる
【００１７】
従って、止血箇所に迅速に装着することができるので、緊急の止血具に用いることができる。
【００１８】
本発明の請求項５による筒状袋の特徴構成は、前記筒状袋体が、腕部分、又は、脚部分に装着可能な筒外径、及び、筒長さに形成されている点にある。
【００１９】
上記特徴構成によれば、扁平な筒状袋体を膨らませて、この膨らませた筒状袋体の一端の入口に、手先、又は、つま先を挿入しながら手で筒体の外周面を掴んで腕根元側、又は、脚根元側に引き上げて袋面を移動させて、腕部分、又は、脚部分に、筒状袋を簡単に装着することができ、反対に、筒状袋体の外周面を掴んで、手先、又は、つま先側に引き下げて袋面を移動させて、腕、又は、脚から筒状袋を簡単に取り外すことができる。
【００２０】
従って、簡単に装着と取外しが可能な、下脚のむくみ改善バンド、又は、腕のむくみ改善バンド等を形成することができる。
【００２１】
本発明の請求項６による筒状袋の特徴構成は、前記筒状袋体が、容器入り飲料商品の全体を収容可能な筒外径、及び、筒長さに形成されている点にある。
【００２２】
上記特徴構成によれば、扁平な筒状袋を必要に応じて膨らませて、この膨らませた筒状袋体の一端の入口に、容器入り飲料商品を挿入に伴って袋面を移動させながら、容器入り飲料商品の表面全体に袋内周面を圧接して、筒状袋に容器入り飲料商品を気密状態に装着することができ、反対に、何れかの入口に向けて袋面を移動させて、筒状袋から容器入り飲料商品を簡単に取り外すことができる。
【００２３】
従って、筒状袋に対して容器入り飲料商品の装着状態において、当該容器入り飲料商品は、筒状袋の空気層で全体が覆われた状態になり、冷やされた容器入り飲料商品の保冷や、暖められた容器入り飲料商品の保温を簡単な構造によって簡易的に維持することができるので、利便性の高い簡易保温容器を形成することができる。
また、扁平で嵩張らない筒状袋を必要に応じて簡易保温容器に形成することができるので、取扱い性や運搬性に優れ、反復して利用することも、使い捨てすることも適宜に選択することができる使用選択性の有る商品を形成することができる。
【００２４】
本発明の請求項７による筒状袋の使用方法の特徴構成は、シート状の軟質素材からなる筒状体の一端開口内に、筒状体を筒内に折り返して他端開口を配置し、これら一端と他端の開口縁同士を、開口の全周に亘って気密状態に接合して、外周面と内周面が連続面となった筒状袋体を形成してあるとともに、この筒状袋体に少なくとも空気導入手段と空気抜け止め手段を備える筒状袋を用い、この筒状袋を空気導入手段と空気抜け止め手段によって膨らませ、膨らませた筒状袋の適宜部分を折り曲げて、筒状袋体の外周面より内周面を伸長して折り曲げ状態が保持された袋状態で使用する点にある。
【００２５】
上記特徴構成によれば、膨らませた筒状袋を、曲げ方向を異にして折り曲げることが可能であり、例えば、筒状袋の少なくとも一箇所を折り曲げて、好みの折り曲げ形態の背もたれやマット等のクッションの形成、又は、少なくとも一箇所を折り曲げて必要とする折り曲げ形態の梱包箱用のクッション材を簡単に形成することができる。
また、膨らませた筒状袋体の一端の入口に、折り曲がった展示用商品や梱包商品を押し込み挿入しながら手で筒体の外周面を掴んで袋面を折り曲げ形態に対応して移動させて装着することができ、反対に、装着された折り曲がった展示用商品や梱包商品を手で筒体の外周面を掴んで袋面を移動させて、何れか一方の筒状袋体の入口から簡単に取り外すことができると言うように、折り曲がった形態の対象物を収納、及び、取り外しすることができる。
【００２６】
従って、クッション、クッション材、折れ曲がった対象物の包装や梱包など多様な用途に使用が可能である。
【００２７】
【発明の実施の形態】
〔第１実施形態〕
以下、本発明を適用した一実施形態の一例である筒状袋Ａを図面に基づいて説明する。
この実施形態の筒状袋Ａは、梱包ケースから取り出して販売展示されている対象物品である商品Ｃが購入されるまで間、一時的に収容保持される展示用袋に本発明を適用したものである。
【００２８】
この筒状袋Ａは、図１、図４（イ）、（ロ）、（ハ）に示すように、筒状体１の一端開口１Ａ内に、筒状体１を筒内に折り返して他端開口１Ｂを配置し、これら一端と他端の開口１Ａ，１Ｂ縁同士を、開口１Ａ，１Ｂの全周に亘って気密状態に接合して、外周面１Ｃと内周面１Ｄが連続面となった筒状袋体Ａ１を形成してあるとともに、この筒状袋体Ａ１に、空気導入手段Ｂ１と空気抜け止め手段Ｂ２を有する空気弁Ｂを備えて構成されている。
【００２９】
また、この実施形態の筒状袋Ａは、図に示すように、前記筒状袋体Ａ１が、対象商品Ｃの全体を包装可能な筒外径、及び、筒長さに形成されている。ここで、筒長さは、筒状体１の外径であり、対象商品の最大幅よりも大きな寸法になっている。筒長さは筒状体１の略半分の長さになっており、対象商品Ｃの大きさに対応したものを製作することができるようになっている。
【００３０】
前記筒状体１は、ＰＰ，ＰＥ，オレフィン樹脂等からなる透明シート状の軟質素材から形成されている。
【００３１】
前記空気弁Ｂは、図１，図４（ロ）に示すように、両端部が開口された長方形状の扁平筒状の空気導入路Ｂｃを備え、筒状袋体Ａ１の一端開口１Ａと他端開口１Ｂの接合部１Ｅを境にして、外部側に一端側Ｂａが延出され、内部側に一端側Ｂａを除く他端部分Ｂｂが収容される状態に設けて構成され、一端側Ｂａから空気導入路Ｂｃに空気を吹き込んで空気を筒状袋体Ａ１内に導入することによって、筒状袋体Ａ１を膨らますことが可能な空気導入手段Ｂ１を構成するとともに、空気導入を止めると、筒状袋体Ａ１内外の気圧差によって、筒状袋体Ａ１内の扁平筒体状の空気導入路Ｂｃ部分が密着状態に閉じられて弁機能を生じて、筒状袋体Ａ１内に導入された空気の流出を阻止することができる空気抜け止め手段Ｂ２を構成している。また、この実施形態では、筒状袋体Ａ１から外部に延出する空気弁Ｂの一端側は、筒体が対面部分で分割する状態に形成され、筒状袋体Ａ１の一端開口１Ａと他端開口１Ｂの接合部１Ｅに空気導入路Ｂｃの入口が形成されている。
【００３２】
次に、筒状袋Ａの製造方法を説明する。
まず、図４（イ）に示すように、押し出し成型機等によって、設定された筒外径を有する筒状体１を形成し、設定された筒長さに切断する。
【００３３】
次いで、図４（ロ）に示すように、筒状体１の一端開口１Ａ内に、他端開口を筒内に折り返して配置するとともに、一端開口１Ａと他端開口１Ｂの接合部１Ｅを境にして空気弁Ｂを跨ぐ状態に配置して、これら一端と他端の開口１Ａ，１Ｂ縁同士を、開口１Ａ，１Ｂの全周に亘って融着手段を介して気密状態に接合して、外周面１Ｃと内周面１Ｄが連続面となった筒状袋体Ａ１を形成する。ここで、空気弁Ｂには、筒状袋体Ａ１の一端開口１Ａと他端開口１Ｂの接合部１Ｅを境界位置に対応する弁部分には、融着すること阻止する金属含有塗布材等の非融着素材Ｂｄが塗設されており、筒状体１の一端と他端の開口１Ａ，１Ｂ縁同士、及び、筒状体１の一端と他端の開口縁と空気弁Ｂは融着するが、空気弁Ｂを構成する扁平筒部の内周面は融着することはなく、空気導入路Ｂｃの入口部Ｂｃａを形成することになる。
【００３４】
このような構成にすることによって、図２  、図３に示すように、空気弁Ｂから筒状袋体Ａ１内に空気を導入して筒状袋体Ａ１を適宜に膨らませることによって、外周面１Ｃと内周面１Ｄとが連続し内部に筒状の空気層１Ｆを形成する筒状袋Ａを形成することができる。
【００３５】
そして、この膨らませた筒状袋Ａは、両端に形成される筒入口の一方から対象商品Ｃを挿入するのに伴って、挿入側に対応する入口回りの外周面１Ｃが内周面１Ｄに移行する袋面の移動が生じて、商品Ｃを筒内部にまで簡単に挿入することができ、その収納位置で商品Ｃは、全体が内周面１Ｄで包囲される保持状態にすることができるとともに、この状態から、筒状袋体Ａ１の一端の入口を押付けるようにして、押付け側の入口回りの外周面１Ｃが内周面１Ｄとなる袋面の移動を生じさせて、保持状態の商品Ｃを反押付け側の入口から外部に簡単に取り出すことができる。
【００３６】
筒状袋Ａの空気層１Ｆは、挿入された商品Ｃによって圧縮状態となって、挿入された商品Ｃに内周面１Ｃが密着する状態にすることができるとともに、袋全体にクッション性を形成して、落下や衝突等の不測の事態に対して袋内の商品Ｃを保護することができるようになっている。
【００３７】
さらに、筒状袋Ａ内の空気が導入されていない未使用状態においては、嵩張らない扁平な袋状態にすることができる。
【００３８】
また、膨らませた筒状袋Ａ内に空気弁Ｂを通してストローを差しいれることによって、ストローを通して筒状袋体Ａ１の内部空気が外部に排出され、元の扁平な袋状態に戻すことができる。
【００３９】
尚、この実施形態では、空気導入手段Ｂ１と空気抜け止め手段Ｂ２を有する空気弁Ｂを用いる例を説明したが、これに限らず、周知の浮き袋の空気の出し入れに用いられる、空気導入孔と、この空気導入孔に対して着脱自在な栓を採用して、栓を抜いて空気導入孔から構成される空気導入手段と、空気導入孔に栓を嵌めて構成される空気抜け止め手段を有す空気出し入れ構造を用いるものであってもよい。
【００４０】
〔第２実施形態〕
この第２実施形態は、上記第１実施形態の筒状袋Ａと異なる点を説明し、同構成部分には同符号を付して、その説明は省略する。
この実施形態の筒状袋Ａは、対象物である線材等のような複数の長尺物を一纏めに束ねる拘束具に本発明を適用したものである。
【００４１】
すなわち、この実施形態の筒状袋Ａは、図５（イ）、（ロ）に示すように、筒状袋体Ａ１が、一纏めにされた複数の長尺物Ｃ１の一部を包装可能な筒外径、及び、筒長さに形成されている。
【００４２】
このような構成にすることによって、バラ状態にある複数の長尺物Ｃ１を一纏めして、その端部から膨らませた筒状袋Ａを少なくとも一つ装着することによって、一纏めにされた複数の長尺物Ｃ１が拘束状態に保持されて取扱い易い状態にすることができ、運搬性、在庫性を高めることができる。
【００４３】
また、図６、図７に示すように、例えば、ガラス管やガラス棒等の長尺物Ｃ１の両端及び中央部に膨らませた筒状袋Ａを装着して、長尺商品Ｃ１同士の干渉防止具等に採用することもできる。
【００４４】
〔第３実施形態〕
この第３実施形態は、上記第１実施形態の筒状袋Ａと異なる点を説明し、同構成部分には同符号を付して、その説明は省略する。
【００４５】
この実施形態の筒状袋Ａは、上腕、前腕、手指等の手の圧迫止血、上腿、下腿等の足の圧迫止血に用いる止血具に本発明を適用したものである。
【００４６】
この実施形態の筒状袋Ａは、図８（イ）、（ロ）に示すように、筒状袋体Ａ１が、腕２０又は脚２１の止血対応部位に装着可能な筒外径、及び、筒長さに形成されている。ここで、腕２０の止血箇所は、後腕の付け根、手首が対応し、脚２１の止血箇所上腿の付け根が対応する。
【００４７】
止血を確実にするには、筒長さが数ｃｍ以下の長さの短いものは好ましくなく、それ以上の筒長さのものが好ましい。
【００４８】
また、この実施形態では、筒状袋体Ａ１に肉厚なシート状の軟質素材が用いられて、容易に破れるようなことがないようになっているが、より信頼性を得るために、網目や補強シート等を積層化したシート状の軟質素材を用いてもよい。
【００４９】
このような構成にすることによって、常時には、扁平な筒状袋Ａ状態にあり、止血の必要性が生じた際、空気弁Ｂに対して、口からの吹き込みによる導入、又は、気体ボンベなどの噴出し気体の導入によって筒状袋Ａを膨らませて、手先、又は指先から装着して、腕２０や脚２１の血対応箇所に筒状袋Ａを装着することができる。これ以外にも、止血対応箇所に装着した扁平状態の筒状袋Ａを膨らませて、止血対応箇所に筒状袋Ａを装着することも可能である。
【００５０】
〔第４実施形態〕
この第４実施形態は、上記第１実施形態の筒状袋Ａと異なる点を説明し、同構成部分には同符号を付して、その説明は省略する。
この実施形態の筒状袋Ａは、手、又は、足のむくみなどを改善するむくみ改善バンドに本発明を適用したものである。
【００５１】
すなわち、この実施形態の筒状袋Ａは、筒状袋体Ａ１が、腕２０部分、又は、脚２１部分に装着可能な筒外径、及び、筒長さに形成されている。
【００５２】
具体的には、図９（イ）に示すように、腕２０部分である前椀２０Ａに対応する筒外径、及び、筒長さに形成された前腕用のむくみ改善バンド、同図に示すように、腕２０部分である前腕２０Ａと後腕２０Ｂに対応する筒外径、及び、筒長さに形成された前後腕用のむくみ改善バンド、図９（ロ）に示すように、脚２１部分であるふくらはぎ部分２１Ａに対応する筒外径、及び、筒長さに形成されたふくらはぎ用のむくみ改善バンド、同図に示すように、脚部分である上腿２１Ｂと下腿２１Ｃに対応する筒外径、及び、筒長さに形成された脚用のむくみ改善バンド等が上げられる。
【００５３】
このような構成にすることによって、扁平な筒状袋Ａを膨らませて、一端の入口に、手先、又は、つま先を挿入しながら手で筒状袋体Ａ１の外周面１Ｃを掴んで腕根元側、又は、脚根元側に引き上げて袋面を移動させて，腕２０部分、又は、脚２１部分に、筒状袋Ａを簡単に装着することができ、反対に、装着された筒状袋体Ａ１の外周面１Ｃを掴んで、手先、又は、つま先側に引き下げて袋面を移動させて、腕、又は、脚から筒状袋Ａを簡単に取り外すことができる。
【００５４】
そのため、使い捨てのむくみ改善バンドや、飛行機内の客席マガジンラックに常備して、下腿に血流が滞留して生じるエコノミー症候群などの改善バンドに用いることができる。
【００５５】
〔第５実施形態〕
この第５実施形態は、上記第１実施形態の筒状袋と異なる点を説明し、同構成部分には同符号を付して、その説明は省略する。
この実施形態の筒状袋Ａは、冷やされた、又は、暖められたペットボトルや缶入りの飲料商品等の容器入り飲料商品Ｃ２を保温する簡易保温具に本発明を適用したものである。
【００５６】
すなわち、この実施形態の筒状袋Ａは、図１０（イ）、（ロ）に示すように、前記筒状袋体Ａ１が、容器入り飲料商品Ｃ２の全体を収容可能な筒外径、及び、筒長さに形成されている。
【００５７】
このような構成にすることによって、図１０（イ）に示すように、扁平な筒状袋Ａを膨らませて、一端の入口に、容器入り飲料商品Ｃ２を挿入に伴って袋面を移動させながら、容器入り飲料商品Ｃ２の表面全体に内周面１Ｄを圧接して、図１０（ロ）に示すように、筒状袋Ａに容器入り飲料商品Ｃ２を気密状態に装着することができ、反対に、何れかの入口に向けて袋面を移動させて、筒状袋体から容器入り飲料商品Ｃ２を簡単に取り外すことができる。
【００５８】
この筒状袋Ａに収納された容器入り飲料商品Ｃ２は、内周面１Ｄで表面全体が覆われた状態になり、冷やされた容器入り飲料商品Ｃ２の保冷や、暖められた容器入り飲料商品Ｃ２の保温することができる。
【００５９】
〔第６実施形態〕
次に、筒状袋Ａの使用方法を説明する。
この筒状袋Ａの使用方法は、シート状の軟質素材からなる筒状体１の一端開口１Ａ内に、筒状体１を筒内に折り返して他端開口１Ｂを配置し、これら一端と他端の開口１Ａ，１Ｂ縁同士を、開口の全周に亘って気密状態に接合して、外周面１Ｃと内周面１Ｄが連続面となった筒状袋体Ａ１を形成してあるとともに、この筒状袋体Ａ１に少なくとも空気導入手段Ｂ１と空気抜け止め手段Ｂ２有する空気弁Ｂを備える筒状袋Ａを用い、この筒状袋Ａを空気弁Ｂを介して膨らませ、膨らませた筒状袋Ａの適宜部分を折り曲げて、筒状袋体Ａ１の外周面１Ｃより内周面１Ｄを伸長して折り曲げ状態が保持された袋状態で使用する方法である。
【００６０】
このような構成であれば、膨らませた筒状袋Ａを、必要に応じて、或は、設定に従って折り曲げ使用することができる。このような折り曲げによって、例えば、図１１に示すように、背もたれやマット等の簡易的なクッションの作ることができる。
【００６１】
また、図１２に示すように、梱包用箱の隙間部分に対応するべく、膨らませた筒状袋Ａの少なくとも一箇所を折り曲げて必要とする折り曲げ形態の梱包箱３０用の梱包資材やクッション材を形成することができる。
【００６２】
さらに、図１３に示すように、膨らませた筒状袋Ａの一端の入口に、例えば、ゴルフシャフトのヘッド部分などの折り曲がった商品Ｃ３を押し込み挿入しながら手で筒状袋体Ａ１の外周面１Ｃを掴んで袋面を折り曲げ形態に対応して移動させて装着して、折曲がった商品Ｃ３を筒状袋Ａ内に密封状態に収納することができ、反対に、筒状袋体Ａ１の外周面１Ｃを掴んで袋面を移動させて、筒状袋Ａの何れか一方の入口から折り曲がった商品Ｃ３を簡単に取り外すことができる。
【００６３】
〔その他の実施形態〕
１）  上記各実施形態では、筒状袋体Ａ１が透明なシート状の軟質素材を用いた例を説明したが、本発明はこれに限らず、販売展示などの利用ではない、例えば、包装、梱包、むくみ改善、保温、クッション、クッション材、梱包資材等に用いる場合、筒状袋体Ａ１が透明でなくてもよいので、シート状の軟質素材に不透明な合成樹脂、ゴム系素材、シリコン系素材を用いてもよい。
この場合、使用素材に対応した袋特性を有する筒状袋を形成することができる。
【図面の簡単な説明】
【図１】本発明を適用した第１実施形態の筒状袋の全体を示す斜視図
【図２】膨らませた筒状袋に商品を収納した状態を示す斜視図
【図３】膨らませた筒状袋に商品を収納した状態を示す断面図
【図４】筒状袋の製造方法を示す説明図
（イ）は筒状体を示す説明図
（ロ）は筒状体を内側に織り返した状態を示す説明図
（ハ）は筒状体に一端開口縁と折り返された他端開口縁同士を空気弁を挟み込む状態で融着した状態を示す説明図
【図５】本発明を適用した第２実施形態の筒状袋を示す斜視図
（イ）は長尺物に筒状袋を装着する前の状態を示す斜視図
（ロ）は長尺物に筒状袋を装着した状態を示す斜視図
【図６】本発明を適用した長尺体の緩衝材に筒状袋を装着した状態を示す斜視図
【図７】筒状袋を装着した複数の長尺体を積重ねた状態を示す側断面図
【図８】本発明を適用した第３実施形態の筒状袋を示す簡略斜視図
（イ）は腕の止血部分と筒状袋である止血具の関係を示す簡略斜視図
（ロ）は足の止血部分と筒状袋である止血具の関係を示す簡略斜視図
【図９】本発明を適用した第４実施形態の筒状袋を示す簡略斜視図
（イ）は腕に筒状袋であるむくみ改善バンドを装着した状態を示す簡略斜視図
（ロ）は脚に筒状袋であるむくみ改善バンドを装着した状態を示す簡略斜視図
【図１０】本発明を適用した第５実施形態の筒状袋を示す説明図
（イ）は容器入り飲料商品を筒状袋に装着する前の状態を斜視で示す説明図
（ロ）は容器入り飲料商品を筒状袋に装着した状態を断面で示す説明
【図１１】本発明を適用した第６実施形態の筒状袋の使用方法を示す平面図
【図１２】第６実施形態の筒状袋の使用方法を示す分解斜視図
【図１３】第４実施形態の筒状袋の使用方法を示す正面図
【図１４】従来の包装用袋体を示す斜視図
【図１５】従来の包装用袋体を示す側断面図
【符号の説明】
Ａ              筒状袋
Ａ１            筒状袋体
Ｂ１            空気導入手段
Ｂ２            空気抜け止め手段
Ｃ              商品（対象物品）
Ｃ１            長尺物
Ｃ２            容器入り飲料商品
１              筒状体
１Ａ            一端開口
１Ｂ            他端開口
１Ｃ            外周面
１Ｄ            内周面
【図１】
2004359320.tif 000003
【図２】
2004359320.tif 000004
【図３】
2004359320.tif 000005
【図４】
2004359320.tif 000006
【図５】
2004359320.tif 000007
【図６】
2004359320.tif 000008
【図７】
2004359320.tif 000009
【図８】
2004359320.tif 000010
【図９】
2004359320.tif 000011
【図１０】
2004359320.tif 000012
【図１１】
2004359320.tif 000013
【図１２】
2004359320.tif 000014
【図１３】
2004359320.tif 000015
【図１４】
2004359320.tif 000016
【図１５】
2004359320.tif 000017